(57)【要約】      （修正有）【課題】ローリングボール保持器を備えるリニアスライディングブロックを提供する。【解決手段】ベースブロック１、２個の循環器２、複数のローリングボール３、２個の保持器４を備え、ベースブロック１の底面には、リニアスライディングレールに対応するレール溝１１を設置し、レール溝１１両側壁にはそれぞれ負荷レール１２を設置する。循環器２はベースブロック１の端部に組み立て、複数のローリングボール３は負荷レール１２及び無負荷レール１３に排列して収納され、保持器４はベースブロック１に対応する負荷レール１２、ローリングボール３の位置を制限する細長い片体４１を設置する。これにより負荷レール１２内の複数のローリングボール３は細長い片体４１に接触し、しかも細長い片体４１の両端にはそれぞれ固定片４２を形成し、両端の固定片４２は、固定部品４３を通して、ベースブロック１両端の循環器２に結合する。【選択図】図５
0003176186.tif 000002
【実用新案登録請求の範囲】
【請求項１】
リニアスライディングレール上にスライド可能状に設置し、ベースブロック、２個の循環器、複数のローリングボール、２個の保持器を備える、ローリングボール保持器を備えるリニアスライディングブロックであって、
前記ベースブロックは、スライディングレールに対応するレール溝を陥没状に設置し、前記レール溝の両側壁には、負荷レールをそれぞれ設置し、しかも、前記レール溝及び前記負荷レールは、前記ベースブロックの両端まで延伸し、及び前記ベースブロックの両側には、両端に連通する無負荷レールをそれぞれ設置し、
前記各循環器は、前記ベースブロックの端部に組み立て、前記負荷レールと前記無負荷レールに連通する循環トラックをそれぞれ設置し、
前記複数のローリングボールは、前記ベースブロックの負荷レールと無負荷レール、及び前記各循環器の循環トラック中に排列して収納され、
前記各保持器は、前記ベースブロックに対応する負荷レール、前記複数のローリングボールの位置を限定する細長い片体を設置し、前記負荷レール内の複数のローリングボールは、前記細長い片体の一面に接触し、前記細長い片体の両端には、固定片をそれぞれ形成し、前記細長い片体両端の固定片は、固定部品を通して前記ベースブロック両端の循環器に結合することを特徴とするローリングボール保持器を備えるリニアスライディングブロック。
【請求項２】
前記保持器の両端には、それぞれ湾折部を設置し、これにより前記保持器は、コの字形体を形成し、前記湾折部は、固定片を形成することを特徴とする請求項１に記載のローリングボール保持器を備えるリニアスライディングブロック。
【請求項３】
前記固定片と前記湾折部は、異なる階段面を形成することを特徴とする請求項２に記載のローリングボール保持器を備えるリニアスライディングブロック。
【請求項４】
前記固定片には、穿孔を設置し、固定部品は前記穿孔を貫通し、前記循環器に螺合することを特徴とする請求項３に記載のローリングボール保持器を備えるリニアスライディングブロック。
【請求項５】
前記循環器は、第一本体、第二本体、端蓋を備え、
前記第一本体には、前記レール溝に対応する第一通道を設置し、しかも前記第一本体は、前記ベースブロックに反対の一面の両側に、固定片に対応する凹階部をそれぞれ設置し、前記凹階部には、固定部品を結合させる固定孔を設置し、
前記第二本体は、前記第一本体と前記ベースブロックとの間に挟んで設置し、
前記端蓋は、前記第一本体の固定孔を備える一面を覆うことを特徴とする請求項１に記載のローリングボール保持器を備えるリニアスライディングブロック。
【請求項６】
前記固定部品は、ネジであることを特徴とする請求項１に記載のローリングボール保持器を備えるリニアスライディングブロック。
【請求項７】
前記スライディングレールの両側には、ガイドレールをそれぞれ設置し、
前記ガイドレールの保持器に対応する位置には、矩形凹溝を設置することを特徴とする請求項１に記載のローリングボール保持器を備えるリニアスライディングブロック。
【考案の詳細な説明】
【技術分野】
【０００１】
本考案はリニアスライディングブロックに関し、特にスライディングレールと対応させて応用するローリングボール保持器を備えるリニアスライディングブロックに関する。
【背景技術】
【０００２】
従来のリニアスライディングレール及びリニアスライディングブロックは、相互に対応して応用する直線移動装置である。リニアスライディングブロック内部に設置する複数のローリングボールにより、リニアスライディングレールとリニアスライディングブロックとの間を支える。これにより、リニアスライディングブロックは、スムーズで、しかも精密にスライド移動することができる。
【０００３】
従来のリニアスライディングブロックにおいて、そのローリングボール保持器の設計には、「チェーンベルト式」と「ワイヤー式」の２種がある。その内、チェーンベルト式ローリングボール保持器は、樹脂材料により製造する。そのため、長期的な湾曲動作に耐えることができず、断裂の状況が発生し易い。しかも、チェーンベルト式ローリングボール保持器は、ミニリニアスライディングブロックに実施するため、組み立て/製造プロセスが難しく、それに相対して製造コストも高い。
【０００４】
従来のワイヤー式ローリングボール保持器の構造は、図１、２に示すように、金属線を採用して構成するローリングボール保持器１０である。同構造は、ローリングボール保持器１０を、リニアスライディングブロック２０のレール溝２０１両側に設置し、負荷レール２０２の位置に対応する。こうして、負荷レール２０２中で移動するローリングボール３０は位置を制限され、ローリングボール３０のレール溝２０１からの脱落を防止する。しかし、ワイヤー式ローリングボール保持器の構造は、ローリングボール３０の位置を負荷レール２０２中にいくらか限定できるだけで、ワイヤーは、ローリングボール３０全体を取り囲むことはできない。そのため、少しの振動でも、ローリングボール３０の脱落を招いてしまう。
【０００５】
また、図３に示すように、ワイヤー式ローリングボール保持器の構造では、従来のリニアスライディングレール４０は、必ず二次加工を施し、半円形の凹溝４０１を形成しなければならないが、凹溝４０１は、ネジ孔４０２まで連通し易く、孔が破損し不良品となってしまう。本考案は、従来のローリングボール保持器を備えるリニアスライディングブロックの上記した欠点に鑑みてなされたものである。
【先行技術文献】
【特許文献】
【０００６】
【特許文献１】なし
【考案の概要】
【考案が解決しようとする課題】
【０００７】
本考案が解決しようとする課題は、ローリングボール保持器を備えるリニアスライディングブロックを提供することである。
【課題を解決するための手段】
【０００８】
上記課題を解決するため、本考案は下記のローリングボール保持器を備えるリニアスライディングブロックを提供する。
ローリングボール保持器を備えるリニアスライディングブロックは、スライディングレールにスライド移動可能状に設置し、ベースブロック、２個の循環器、複数のローリングボール、２個の保持器を備え、該ベースブロックの中央には、スライディングレールに対応するレール溝を設置し、該レール溝の両側壁には、負荷レールをそれぞれ設置し、しかも該レール溝及び該負荷レールは、該ベースブロックの両端まで延伸し、及び該ベースブロックの両側には、両端に連通する無負荷レールをそれぞれ設置し、該各循環器はベースブロックの端部に組み立て、該負荷レールと該無負荷レールに連通する循環トラックをそれぞれ設置し、該複数のローリングボールは、該ベースブロックの負荷レールと無負荷レール及び各循環器の循環トラック中に排列して収納され、該各保持器は、該ベースブロックに対応する負荷レール、該複数のローリングボールの位置を限定する細長い片体を設置し、該負荷レール内の複数のローリングボールは、該細長い片体の一面に接触し、該細長い片体の両端には、固定片をそれぞれ形成し、該細長い片体両端の固定片は、固定部品を通して、該ベースブロック両端の循環器に結合し、これにより、本考案ローリングボール保持器を備えるリニアスライディングブロックは、保持器の構造を利用し、ローリングボールが脱落せず、組み立てが容易で、コストを低下させられ、レールは冷間引抜製造でき二次加工が不要で、レールに破孔が生じることはない。
【考案の効果】
【０００９】
本考案のローリングボール保持器を備えるリニアスライディングブロックは、保持器の構造を利用しローリングボールの脱落の恐れを払拭し、組み立てを容易にしてコストを引き下げ、冷間引抜製造するレールは二次加工が不要で、レールに破孔が生じることもない。
【図面の簡単な説明】
【００１０】
【図１】従来のリニアスライディングブロックとローリングボール保持器の分解立体模式図である。
【図２】従来のリニアスライディングブロックとローリングボール保持器の組合せ断面模式図である。
【図３】従来のリニアスライディングレールへの二次加工で破孔を生じる様子を示す断面模式図である。
【図４】本考案リニアスライディングブロック実施例の組合せ立体模式図である。
【図５】本考案リニアスライディングブロック実施例の分解立体模式図（一）である。
【図６】本考案リニアスライディングブロック実施例の分解立体模式図（二）である。
【図７】本考案リニアスライディングブロック実施例の縦断面立体模式図である。
【図８】本考案リニアスライディングブロック実施例の縦断面模式図である。
【図９】本考案リニアスライディングブロック実施例の横断面模式図である。
【考案を実施するための形態】
【００１１】
以下に図面を参照しながら本考案を実施するための最良の形態について詳細に説明する。
【００１２】
図４、５、６に示すように、本考案ローリングボール保持器を備えるリニアスライディングブロックの実施例は、ベースブロック１、２個の循環器２、複数のローリングボール３及び２個の保持器４を備え、リニアスライディングレール５上にスライド可能状に設置する。
【００１３】
ベースブロック１は、矩形或いは他の形状のブロック体で、その底面の中央には、リニアスライディングレール５に対応するレール溝１１を陥没状に設置する。レール溝１１の両側壁には、負荷レール１２をそれぞれ陥没状に設置し、しかもレール溝１１及び負荷レール１２は、ベースブロック１の両端まで延伸し、及びベースブロック１の両側には、両端に連通する無負荷レール１３をそれぞれ設置する。
【００１４】
２個の循環器２は、ベースブロック１の両端部に組み立て、各循環器２には、負荷レール１２と無負荷レール１３に連通する循環トラック２１をそれぞれ設置する。
【００１５】
複数のローリングボール３は、ベースブロック１の負荷レール１２と無負荷レール１３及び各循環器２の循環トラック２１中に排列して収納される。リニアスライディングブロックが、リニアスライディングレール５に沿って移動すると、ローリングボール３は、負荷レール１２、無負荷レール１３及び循環トラック２１と通過し、循環移動を続ける。しかも、ローリングボール３が負荷レール１２中にある時には、リニアスライディングレール５とサポート負荷作用を形成(図９参照)し、これにより、リニアスライディングブロックはスムーズに移動可能である。
【００１６】
図６、７、８に示すように、本考案の各保持器４は、ベースブロック１の負荷レール１２に対応して設置する。細長い片体４１は、複数のローリングボール３を制限するために用い、金属、プラスチック或いは他の材質により構成する。こうして、負荷レール１２内の複数のローリングボール３は、細長い片体４１の一面に接触する。しかも、本考案は細長い片体４１の両端に、固定片４２をそれぞれ形成する。こうして、細長い片体４１両端の固定片４２は、固定部品４３を通して、ベースブロック１両端の循環器２に結合し、これにより本考案ローリングボール保持器を備えるリニアスライディングブロックを組成する。
【００１７】
図６、７、８に示すように、本考案保持器４の細長い片体４１両端には、湾折部４１１をそれぞれ設置する。これにより、保持器４（細長い片体４１）は、コの字形体を形成し、湾折部４１１において、固定片４２を形成する。固定片４２には、穿孔４２１を設置し、これにより固定部品４３(ネジ等)は、穿孔４２１を貫通し、循環器２に螺合することができる。
【００１８】
固定片４２と湾折部４１１とを、保持器４に加工成型する時には、微量の落差を備える階段面とし、或いは同一階段面に位置する形態とすることができる。但し、固定片４２を循環器２に結合する時には、湾折部４１１と固定片４２が位置する結合面は、異なる階段面で、しかも、階段面の落差は、固定片４２から湾折部４１１の階段面までの落差より大きい。よって、固定部品４３が穿孔４２１を通過し、循環器２に螺合する時には、固定部品４３の旋回、下圧の動作により、細長い片体４１を牽引し、引き伸ばし張力を生じる。これにより、細長い片体４１は緊張状態を呈し、保持器４の緩みによるローリングボール３の脱落を防止することができる。
【００１９】
図５、６に示すように、本考案循環器２の実施例は、第一本体２２、第二本体２３及び端蓋２４を備える。第一本体２２は、プラスチック射出成型により構成し、第一本体２２には、レール溝１１に対応する第一通道２２１を設置する。しかも、第一本体２２のベースブロック１に反対一面の両側には、固定片４２に対応する凹階部２２２をそれぞれ設置する。凹階部２２２には、固定部品４３を結合させる固定孔２２３を設置する。このため、固定部品４３が、保持器４両端の固定片４２を、凹階部２２２にそれぞれ螺合すると、細長い片体４１を引き締めることができる。こうして、安定的に負荷レール１２中のローリングボール３を制限し、ローリングボール３の脱落を防止することができる。
【００２０】
第二本体２３は、第一本体２２とベースブロック１との間に挟まれて設置し、循環トラック２１を形成する。端蓋２４は、第一本体２２の固定孔２２３を備える一面を覆い、固定部品４３(ボルト)を利用し、螺合して固定する。
【００２１】
また、図９に示すように、保持器４のリニアスライディングレール５への緩衝を回避するため、本考案はさらに、リニアスライディングレール５両側に、ガイドレール５１をそれぞれ設置する。ガイドレール５１の保持器４に対応する位置には、矩形凹溝５２を設置する。このため、本考案のリニアスライディングブロックが、リニアスライディングレール５に可動状に設置されると、矩形凹溝５２を利用し保持器４を収容することができる。保持器４の形状を改良したことで、リニアスライディングレール５は、冷間引抜成型方式を採用し、ガイドレール５１及び矩形凹溝５２等構造を製造可能となる。これにより、二次加工が不要となり、コスト低下の効果を達成し、しかも二次加工が不要であるため、従来の構造における二次加工が引き起こす破孔の問題を回避することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２４】
１０：ローリングボール保持器
２０：リニアスライディングブロック
２０１：レール溝
２０２：負荷レール
３０：ローリングボール
４０：リニアスライディングレール
４０１：凹溝
４０２：ネジ孔
１：ベースブロック
１１：レール溝
１２：負荷レール
１３：無負荷レール
２：循環器
２１：循環トラック
２２：第一本体
２２１：第一通道
２２２：凹階部
２２３：固定孔
２３：第二本体
２４：端蓋
３：ローリングボール
４：保持器
４１：細長い片体
４１１：湾折部
４２：固定片
４２１：穿孔
４３：固定部品
５：リニアスライディングレール
５１：ガイドレール
５２：矩形凹溝
【図１】
0003176186.tif 000003
【図２】
0003176186.tif 000004
【図３】
0003176186.tif 000005
【図４】
0003176186.tif 000006
【図５】
0003176186.tif 000007
【図６】
0003176186.tif 000008
【図７】
0003176186.tif 000009
【図８】
0003176186.tif 000010
【図９】
0003176186.tif 000011